(57)【要約】本発明は、そのために構成された容器本体の外面（１１４）に隣接する骨格支持体（１２０）によって少なくとも部分的に維持される非円形断面を具備する可塑性容器本体（１１０）を有する加圧流体を分配するための包装容器（１００）に関する。
2005530660.tif 000002
【特許請求の範囲】
【請求項１】
加圧流体を分配するための包装容器において、
非円形断面及び外表面を有する可塑性容器本体であって、分配される加圧流体を保存するための空洞を有する容器本体と、
前記外表面に隣接し、かつ前記容器本体の前記非円形断面の形状を実質的に維持するよう構成された骨格支持体と、
を含むことを特徴とする包装容器。
【請求項２】
前記容器本体は、少なくとも１つの実質的に透明な部分を有することを特徴とする請求項１に記載の包装容器。
【請求項３】
前記容器本体は、実質的にナイロン材料で作られることを特徴とする請求項１または２に記載の包装容器。
【請求項４】
前記骨格支持体は、実質的に単一構造であることを特徴とする請求項１〜３のいずれかに記載の包装容器。
【請求項５】
前記骨格支持体は、前記容器本体と比較して低いクリープ及び高い引張強度を有することを特徴とする請求項１〜４のいずれかに記載の包装容器。
【請求項６】
前記骨格支持体及び前記容器本体は、別個の構成要素であることを特徴とする請求項１〜５のいずれかに記載の包装容器。
【請求項７】
前記骨格支持体及び前記容器本体は、一体に形成されていることを特徴とする請求項１〜６のいずれかに記載の包装容器。
【請求項８】
前記包装容器がさらに分配作動装置を具備することを特徴とする請求項１〜７のいずれかに記載の包装容器。
【請求項９】
前記包装容器がさらに塗布面を具備することを特徴とする請求項１〜８のいずれかに記載の包装容器。
【発明の詳細な説明】
【技術分野】
【０００１】
本発明は、加圧流体を分配するための包装容器であって、制汗剤及び防臭剤のような製品を含有するための非円形断面を有する包装容器に関し、より詳細には、非円形断面可塑性容器本体の外面に隣接する骨格支持体を包含するそのような包装容器に関する。
【背景技術】
【０００２】
消費者製品産業は、世界の消費者に、消費者の要求を満たすように設計された多種多様な製品を提供する。現代の消費者が利用できる製品の数及び種類は膨大であり、広範な機能的設計、審美的設計、及び使用目的に及ぶ。これらの製品は数々の方法で分類され得る。例えば、製品は機能（洗浄、予防、治療、美容強化、知覚経験など）、形態（噴霧、クリーム、ローション、拭き取り用品、棒状、泡立ち石鹸など）、及び／又は使用目的（毛髪用、歯用、顔面の皮膚用、脚用、腋窩用、全身用）によって分類され得る。機能、形及び使用目的を考慮する時、必要な包装容器を考慮することが重要である。包装容器は、塑性体、ガラス複合物、及び／又は金属のような多数の材料から作ることができる。消費者の要望、包装容器材料の技術的安定性及び機械的強固さの理解が、製品を市場へと拡大する前に必要である。追加の試験要求事項は、包装容器材料の選択をさらに進める。
【０００３】
さらに、消費者に制汗剤及び／又は防臭剤のような信頼できる製品を提供するための試みにおいて、多くの消費者は、こうした製品が保存される又はそうでなければ使用時に適用される包装容器の種類については、ほとんど選択肢がない。有効に包装された制汗剤及び／又は防臭剤を消費者にもたらすための継続的努力に拘わらず、ある加圧製品の包装容器は、有用性、便益、費用及び材料特性の結合的な及びしばしば競合的な要求事項によって不満足に制限されたままである。本発明は、軽量で、種々の材料及び材料特性の使用が可能で、人間工学的に設計され、及びユーザーがいかなる所与の時間においても包装容器内にどれだけの製品が残っているかを評価できる、消費者に柔軟性を提供する設計を可能にする。該包装容器は一般に、独自の非円形形状であり、制汗剤及び／又は防臭剤のような加圧製品を収容する空洞、並びに非円形断面を有する容器本体を維持する役割を果たす骨格支持体を具備する可塑性容器本体を包含する。この非円形断面は、ユーザーが制汗剤及び／又は防臭剤を皮膚表面により有効に及び便利に塗布できる人間工学的及び美的に優れる設計を提供する。可塑性容器本体は、少なくとも１つの実質的に透明な部分を有するように構成することもでき、その結果製品のユーザーはどのような与えられた時間においても包装容器内にどれだけの製品が残っているかを容易に確認できる。さらに、本発明の包装容器は、ユーザーが制汗剤、化粧品及び／又は防臭剤のような製品でその皮膚表面を有効に被覆できる塗布面又は噴霧ノズルのような種々の塗布装置を利用することができる。
【発明の開示】
【課題を解決するための手段】
【０００４】
本発明の１つの態様によると、包装容器が、制汗剤又は防臭剤のような、身体に塗布される加圧流体の分配のために提供される。
本発明の別の態様によると、加圧流体を保存する可塑性容器本体の非円形断面の形状を維持する包装容器が提供される。
本発明の別の態様によると、加圧流体を保存する可塑性容器本体が実質的に透明な部分を有し、その結果ユーザーは包装容器内にどれだけの加圧流体が残っているかを確認できる、包装容器が提供される。該透明部分は、ユーザーが流体の特性（例えば、透明）の認識及び識別もできるようにする。
本発明のさらに別の態様では、加圧流体を多数の方法で、具体的には塗布面又は噴霧ノズルのいずれかを通じる方法で、分配できる包装容器が提供される。
本発明の別の態様によると、包装容器が、適切な量の分配された流体が均一に及び一貫して塗布されるような加圧流体の分配のために提供される。
【０００５】
上記の目的の１つ又はそれ以上に従い、本発明は、非円形断面及び外表面を有する可塑性容器本体を包含する加圧流体を分配するための包装容器を提供し、その際該容器本体は、分配される加圧流体を保存するための空洞、並びに容器本体の非円形断面の形状を実質的に維持するように構成され、容器本体の外表面に隣接する骨格支持体を有する。本発明の一つの実施形態では、前記容器本体は少なくとも１つの実質的に透明な部分を有する。特に、透明部分は、ユーザーが見た時に加圧流体の液位がわかることによって、包装容器内に残っている加圧流体の量を確認できるようにする役割を果たすことができる。本発明のもう１つの実施形態では、包装容器はユーザーに加圧流体の分配を制御可能とする分配作動装置を含有する。分配作動装置は、塗布面又は噴霧ノズルの使用を通じるような、種々の装置によって加圧流体のこのような放出を適切に提供できる。さらに、分配作動装置は、ユーザーが制汗剤又は防臭剤のような加圧流体を、ユーザーが必要であると判断する量で、一貫した制御可能な方法で有効に及び選択的に使用することを可能にする。
【０００６】
本発明の更に別の利点、用途及び実施形態は、本発明の数件の代表的な実施形態が、本発明を実践するための図によって示され及び／又は記載されている以下の説明から当業者には明らかになる。当然のことながら、本発明は、すべて本発明から逸脱しない他の異なる態様が可能である。従って、記述及び図面は本質的に例証としてみなされ、限定するとみなされるべきではない。
すべての引用された文書は、関連の部分において参考として本明細書に組み込まれ、いずれの文書の引用も、それが本発明に関して先行技術であるということの承認として解釈されるべきではない。
【発明を実施するための最良の形態】
【０００７】
本明細書は、本発明を特定して指摘して明確に請求する請求項で結論とするが、本発明は、添付図面と共に読まれる代表的な実施形態の次の説明によってより良く理解されると考えられ、図面中において、図全体を通して同様の参照番号は同様の要素を表わす。
【０００８】
本発明及びその操作を、代表的な実施形態の種々の態様を例示した図１〜９の図と関連して以下に詳細に記載する。同様の数字は対応する図の同様の要素を示す。図１〜７で、加圧流体（例えば１７０）を分配するための包装容器１００は、非円形断面を有する可塑性容器本体１１０を包含して例証されている（図４で最も良くわかる）。骨格支持体１２０は、容器本体１１０の外表面１１４に隣接して提供され、理解されるように、使用中及び加圧流体１７０で充満されている間容器本体１１０をその非円形構成に維持するのに役立つ。
【０００９】
図１は、本発明の加圧流体１７０を分配するための包装容器１００の１つの実施形態の斜視図を図示する。図１の代表的な実施形態に例証されるように、ユーザーが容器本体１１０内に残っている加圧流体１７０の量を容易に目視確認できるようにする少なくとも部分的に透明な部分１１８を１つ以上有する可塑性容器本体１１０が示されている。このような少なくとも部分的に透明な部分（例えば、１１８ａ〜ｄ）が複数提供されている場合、図１、１Ａ及び２に図示されるように、ユーザーは容器本体１１０の様々な方向（例えば、前面、後面及び側面）から容器を透かし見ることもできる。容器本体１１０は、容器本体１１０の形成に使用される材料の組成物のため、少なくとも１つの透明な部分１１８を持つことができる。特に、容器本体１１０は、種々の材料から作ることができ、その材料にはこれらに限定されないが、ポリオレフィン、ポリエステル、ナイロン、ビニル、アクリル、ポリカーボネート、ポリスチレン、ポリウレタン（polyeurothane）、その他の既知の塑性体、及び／又はこれらの混合物が挙げられる。より詳細には、容器本体１１０はポリアミド樹脂から作ることができ、これは適切な製品収納並びに加圧流体１７０及び分配される加圧製品に付随する噴射剤との適合性を提供する。このようなポリアミド樹脂、噴射剤及び関連する加圧流体１７０（例えば制汗剤及び／又は防臭剤物質）の例は、米国特許出願１０／１４６，６９７、名称「ポリアミド樹脂製及びジメチルエーテル含有加圧包装容器（Pressurized Package Made of Polyamide Resin and Containing Dimethyl Ether）」により完全に開示されており、この開示を参考として本明細書に組み込む。
【００１０】
容器本体１１０は、内部空洞１１６も画定し、ここに加圧流体１７０が使用の際に放出又は分配されるまで保存される。既述のように、容器本体１１０は製品及びそれとともに加圧流体１７０によって及ぼされる圧力要求に十分に適合する組成物を有する材料から形成される。例えば、容器本体は、使用中の分解、故障又はその他の有害影響を最小限に抑えるため、その中に保持される圧力及び加圧製品と物理的及び化学的に適合性のある内部空洞１１６の表面を少なくとも１つ包含する必要がある。加圧流体１７０の組成物の代表的な実施形態としては、可溶化された制汗剤活性物質を含む単相制汗剤組成物、ジメチルエーテル噴射剤、及び低極性溶媒が挙げられ、米国特許出願１０／８６４，０１２、名称「ジメチルエーテル噴射剤及び低極性溶媒を含有する安定な加圧制汗剤組成物（Stable Pressurized Antiperspirant Compositions Containing Dimethylether Propellant and a Low Polarity Solvent）」により完全に開示されており、この開示を本明細書に参考として組み込む。当然、当業者は、加圧流体１７０が、多相の制汗剤組成物等、多数のその他の組成物を含み得ることが認識できる。例えば、加圧流体１７０は単相として存在し、放出と同時に２つの別個の相になる溶液を含み得る。
【００１１】
容器本体１１０全体が透明な材料で提供されてもよいが、図１に示す実施形態において、透明な部分１１８は、少なくとも容器本体１１０の骨格支持体１２０によって覆われない部分を含む。「骨格」は、本発明で使用される時、少なくとも容器本体１１０のいくらかが覆われないような、少なくとも部分的に開放した、籠又は網様の図案を表す。骨格支持体１２０は、骨格支持体１２０から容器本体１１０を区別する半透明又は不透明な構造として提供されることができ、又はそれ自体が少なくとも部分的に透明であることができる。骨格支持体１２０は、容器本体１１０の外表面１１４に隣接して存在し、使用中に容器本体１１０の非円形断面の形状を実質的に維持するよう、本体１１０の少なくとも一部に十分密接に適合するように構成されている。容器本体１１０の非円形断面は、加圧流体１７０が使用のために分配され提供される領域に実質的に平行な水平断面を含めて図１〜４に例証されている。より詳しくは、図４で最も良くわかるように、非円形断面は実質的に楕円形の断面を含む。しかし、非円形断面は、多様な形態、大きさ及び形状の容器で提供され得ることに留意すべきである。一般に、円形断面の容器は安価に製造でき、本発明の支持体１２０を利用する必要がない十分な強度を有する。しかし、望ましくは目標の製品塗布面により良く適合するための非円形断面を包含する制汗剤製品及びその他の製品のような用途には、本明細書の出願人の発明の教示を実施することなく許容可能な及びより低費用の容器を提供することは困難である。したがって、この実質的に楕円形の断面を維持することは重要であり、これは包装容器１００が皮膚の表面と相互作用するためのより有効な及び効率的な塗布面を消費者に提供し、それによって、皮膚の必要な領域に、便利で一貫した方法で、制汗剤及び／又は防臭剤のような分配された製品の有効量をより適切に提供する。このような有用性は図６に図示され、該図は包装容器１００の代表的な使用法及び該容器とユーザーの腋窩１９０との相互作用を例証する。図６に図示されるように、包装容器はユーザーの手１９２によって腋窩１９０に隣接して保持される。続いてユーザーは分配作動装置１４０を指で押して、加圧流体１７０を塗布面１３０へ放出及び分散させること、つまりユーザーの腋窩１９０に放出された加圧流体１７０を適用することが出来る。
【００１２】
図１〜４の骨格支持体１２０は、容器本体１１０の非円形断面を維持するように構成される。このような構成は、骨格支持体１２０の大きさ、形状、強度及び付属物並びにその容器本体１１０との密接な関連を通じて達成される。本発明の実施形態の１つでは、例えば、このような相乗作用的構成は、骨格支持体１２０を、容器本体１１０の製造に使用された材料と比較して低いクリープ及び高い引張り強度を特徴とする材料から作ることによって達成される。このような材料は、いかなる金属入り塑性体及び／又は成形可能な金属（即ち、マグネシウム）も包含し得る。低クリープ及び高引張り強度を有する材料は、容器本体１１０に有効な補強材（ブレース；brace）又は包み込みバリヤを提供し、一般に容器本体の内面に均一な圧力を加え、容器本体を円形形状にし（即ち、円形形状は内圧の観点から最も安定な形状である）、収容された噴射剤からの内圧の結果として容器本体１１０（又はその部分）が永久的に変形しその非円形断面を失うのを防止する。容器本体１１０の壁を非常に薄くすることが望ましいことから、該本体は透明な部分１１８を含み、おそらくちょうど重要なことに、このような設計は使用される材料の量を減少し、したがって容器本体１１０の製造費用を減少する。さらに、このような薄壁の容器本体１１０の製造を可能にするため、外骨格様構造として機能する骨格支持体１２０の重要性及び役割が大きく増大する。骨格様構造は、起こり得る包装容器１００の故障又は変形（これは漏れ、製品の損失及びユーザーへの全体的不便を生じ得る）の可能性を最小限にするために必要な支持体を提供する。例えば、この外骨格様構造は、容器本体１１０の基礎及び肩への衝撃を低下させ及び保護を提供し、それによって包装容器１００の構造一体性を増大するよう設計できる。もう１つの実施形態では、例えば、外骨格様構造を、容器本体１１０よりも高いガラス転移温度を有することによって、容器本体１１０に二次的保護を提供するように設計することができる。ガラス転移温度は、非晶性物質が変化しこのような物質が流動できる温度である。熱は、加圧流体１７０によって加えられる力により容器本体１１０を変形及び伸長可能とすることができる。容器本体１１０の材料よりも高いガラス転移温度を有する材料で外骨格様構造を設計することによって、高温環境における追加の保護及び支持が包装容器１００に提供される。さらに、消費者にこのような利益を提供する設計を実現するため、外骨格構造は多数の変数に依存する。このような変数には、容器本体１１０が受ける圧力の量、容器本体１１０の構成（即ち、大きさ、形状、壁厚、組成）、包装容器１００の装飾的外観、及び消費者に使い易さを提供するための包装容器１００の人間工学的配置が挙げられる。これらの変数は、他に加えて、本発明によって示される利点の提供において当業者が骨格支持体１２０をいかに設計するかに影響する。
【００１３】
別の実施形態において、容器本体１１０の変形を防止するために骨格支持体１２０の厚さを増やす場合など、骨格支持体１２０は、低クリープ及び高引張り強度以外の特性を有するその他の材料を等しく含むことができる。このような設計は、骨格支持体１２０が容器本体１１０と同じ材料組成物で作られる可能性を許容することも認識されるべきである。ただし、多くの用途で、及び同じ比較的高価な材料（ＰＥＴのような）に関して、容器本体１１０を薄肉の透明なボトルとして提供し、一方骨格支持体１２０を半透明又は不透明な特性の比較的安価な材料（例えば、ＨＤＰＥ又はＰＶＣ）で提供することが望ましい場合がある。この意味で、当業者は「異なる材料」が似ていない組成物（即ち、ＡＢＳ対ＨＤＰＥ）から異なる色合い、明度又は色を有する同一又は類似の組成物（即ち、透明なＰＥＴ対不透明なＰＥＴ）までに及び得る変動を示すことを理解できる。基本的概念は、骨格支持体は、材料にかかわらず、他の場所よりも弱い可能性がある特定の場所で壁厚を大きくする（弱い箇所の実際の位置は容器本体１１０の形状に依存し、有限要素分析のような業界基準方法を使用して求めてもよい）というものである。
【００１４】
図５に図示されるように、本発明の別の代表的な実施形態は、骨格支持体１２０全体が一体成形を具備するような、実質的に単一の構造を具備する骨格支持体１２０を例証する。もう１つの実施形態では、及びさらに図５の分解図で例証されるように、容器本体１１０及び骨格支持体１２０は別個の構成要素として提供されてもよい。このような別個の構成要素を組み合わせる方法は、当該技術分野において数種類存在するが、１つの代表的な方法としては、骨格支持体１２０がその場で形成され及び容器本体１１０の外表面１１４に密接に隣接し、同時に容器本体１１０及び骨格支持体１２０が別個の構成要素であり続けるような、容器本体１１０周囲への骨格支持体１２０の射出成形が挙げられる。別の代表的な例としては、骨格支持体１２０が容器本体１１０の外表面１１４に隣接するような、すでに存在する骨格支持体１２０の内側への容器本体１１０の吹込み成形が挙げられる。
【００１５】
さらに別の実施形態では、容器本体１１０及び骨格支持体１２０が一体成形されてもよい。当業者は認識できるように、「一体成形された」という表現は一般に骨格支持体１２０及び容器本体１１０が別個の構成要素でないことを意味する。例えば、骨格支持体１２０が容易に物理的に取り外すことができないように容器本体１１０上に成形された場合、該骨格支持体１２０は容器本体１１０と一体成形されている。さらに、骨格支持体１２０及び容器本体１１０が結合材料（即ち、接着剤）によって一体的に取り付けられるか又は一つに溶融（即ち、ＲＦ溶接）されている場合、骨格支持体１２０及び容器本体１１０は一体成形されたとみなされる。同様に、骨格支持体１２０及び容器本体１１０が単一構造として成形される場合、それは一体成形されている。
【００１６】
本発明のさらなる実施形態は、図７に示され、分配作動装置１４０を可塑性容器本体１１０及び骨格支持体１２０と組み合わせて具備する包装容器１００を包含する。図７は、加圧流体１７０の放出のために設計された分配機構１３８と包装容器１００との組み合わせの断面図を示す。分配機構１３８は、包装容器１００からの物質の分配を引き起こすためにユーザーが内側へ押すことができる分配作動装置１４０を具備して示される。このような分配動作は、弁を開放位置に動かす、封を開放する、又は他の方法で加圧物質が脱出するための流体通路を開放するような多種多様な方法のいずれでも提供できる。放出時、分配作動装置１４０はその後、例えば加圧物質の力によって、又はばね若しくはその他の偏倚部材の力を受けて、予め定められたオフ位置に戻ることができる。分配作動装置１４０はこの例ではボタン１４０として示されているが、レバー、ロータリーアクチュエーター等のような、その他のデバイスを、製品の分配を制御するために利用できる。分配機構は更に、作動装置カム１４４、バイアシングバルブ１４２、作動装置ステム１４６、及び散布器１４８を具備してもよい。分配機構１３８は主に包装容器１００のカラー１５０内にあり、該カラーは容器本体１１０の上に載っている。分配作動装置１４０は、ユーザーが包装容器１００を握っている間作動することができる。例えば、分配作動装置１４０は、ユーザーによって包装容器１００の外側から有効に嵌合され得るようにカラー１５０を貫通してもよい。図７は代表的な実施形態を例証するが、当業者は、加圧流体１７０の放出を作動する多数の方法を認識できる。
【００１７】
この例では、分配作動装置１４０の嵌合と同時に、関連する作動装置カム１４４がバイアシングバルブ１４２を有効に動かし、加圧流体１７０が放出されることができるような作動装置ステム１４６へのアクセスを提供する。図７に更に例証されるように、本発明の１つの実施形態では、塗布面が皮膚表面に隣接して置かれ、分配作動装置１４０が有効に嵌合された時、作動装置ステム１４６から塗布面１３０の実質的に内面全体に噴霧を供出するように、散布器１４８が塗布面１３０の下に提供されることができる。塗布面１３０は、有利には、包装容器１００の形状に自然な流れを付与でき、容器本体１１０の断面に対応する実質的に非円形の断面を有する全体的なドーム様の形状を具備するように、カラー１５０の上面を横切って延びてもよい。さらに、塗布面１３０は凸形の湾曲を具備することができる。さらに、塗布面１３０は、例えば多孔質（即ち、小さな開口）及び／又は吸収性材料のような種々の材料から作ることができ、加圧流体１７０が包装容器１００から外へ、塗布面１３０の下部から供出されることを可能にする。これは、拡散された加圧流体１７０の少なくとも一部が皮膚に接触するように通過することを可能にする。塗布面１３０は、放出された加圧流体１７０の少なくとも一部を吸収でき、図６に図示されるように、加圧流体１７０が塗布面１３０の外表面に提供され皮膚に隣接することを可能とし、及び皮膚からはね返されたいかなる加圧流体１７０も吸収できるようにする。
【００１８】
図５に簡単に戻ると、本発明の包装容器は、カラー１５０及び分配作動装置１４０が有効に覆われ及び／又は機能しないように骨格支持体１２０を選択的に嵌合する外蓋（例えば１６０）も包含できる。このような包装容器１００を利用するには、ユーザーはその後、塗布手続きのために外蓋１６０を外す必要があり、所望量の加圧流体１７０の塗布が終了した後、ユーザーは保存のため及び追加の加圧流体１７０の偶発的な放出を防止するために外蓋１６０を元に戻すことができる。
【００１９】
本発明の別の実施形態では、加圧流体１７０は噴霧ノズル２３０又は当該技術分野で既知の又は開発されたその他の代替分配装置によって放出されることができる。図８の例に図示されるように、図１の包装容器１００に関してこれまでに示された構成要素は、容器本体２１０の外表面２１４に隣接する骨格支持体２２０を有する容器本体２１０を具備する包装容器２００（その際容器本体２１０は少なくとも１つの透明な部分２１８を有する）、及び塗布面１３０を含め、噴霧ノズル２３０に接続して使用できる。この例で、容器本体はカラー２５０に沿った容器本体２１０を具備し、塗布面はカラー２５０内の陥凹領域２２８に沿って位置付けられた噴霧ノズル２３０を具備する。噴霧ノズル２３０は、適切な噴霧パタンを提供するための所望の形状又は構成を有するいかなる好適なノズル、開口部、又は分配デバイスも具備することができる。加圧流体１７０の分配に噴霧ノズル２３０を使用することは、当該技術分野で周知であり、このような機構を本発明で定義するような独自の包装容器２００に組み込むことは、類似技術の熟練者によって認められる。
【００２０】
同様に、陥凹領域２２８は種々の形状及び大きさで提供されることができる。この例で、陥凹領域２２８は凹部又は内側に曲面を具備する。ただし、陥凹面は、例えば鞍形面のような他の１つ以上の他の曲面、１つ以上の平面、又は平面と曲面との組み合わせとして提供されることができ、容器本体の外側部分から内側に拡張する。別の例として、陥凹面は、円錐又はその他の中空拡張部を有する容器本体を提供すること及び噴霧ノズル２３０が配置できる該拡張部内の表面を包含することによって提供されることができる。
【００２１】
図９に概略的に実証するように、この装置において、噴霧ノズル２３０は加圧流体１７０をエアゾールとして放出し、そのためユーザーは加圧流体１７０を分配しそれを皮膚の所望の領域に塗布する直前にユーザーの身体面に人間工学的及び快適な感覚を提供する方法でカラー２５０の上部を位置付ける。図９の例は、噴霧ノズル２３０と噴霧が塗布される皮膚の表面との間の距離が維持され得ることを示す。皮膚とノズルとの間のこのような近接性は噴霧された製品の塗布不良、ユーザーへの望ましくない感覚、及び／又は皮膚及び／又は衣服への製品の滴下を生じ得るため、この距離を維持することによって、噴霧ノズル２３０が使用中に皮膚に近づきすぎないことが保証される。図９に図示されるように、包装容器はユーザーの手２９２によって腋窩２９０に隣接して保持される。ユーザーはその後、指で分配作動装置２４０を押して、ユーザーの腋窩２９０に向けた噴霧ノズル２３０への加圧流体１７０の放出及び分散を引き起こす。
【００２２】
本発明の多様な実施形態を例証と説明の目的で述べてきた。包括的であることも、記載された形態に本発明を限定することも意図していない。更なる変更が、上記の教示を考慮して可能であり、当業者に理解されるであろう。実施形態は、現状で考えられる代表的な使用法に好適な種々の実施形態における本発明の多様な原則及び適応可能性を例証する例を提供するために選択及び記載された。したがって、本明細書によって、本発明の範囲は本明細書に表示及び／又は記載された代表的な実施形態に限定又は該実施形態によって限定されず、本明細書に追記される請求項によって定義されることを意図する。
【００２３】
本発明の特定の実施形態を説明及び記載したが、本発明の精神及び範囲から逸脱することなく、様々なその他の変形及び変更が可能であることは、当業者に明らかである。したがって、本発明の範囲内にあるそのようなすべての変更及び修正を添付の特許請求の範囲で扱うものとする。
【図面の簡単な説明】
【００２４】
【図１】本発明に従って製造された、外面に隣接する骨格支持体を有する可塑性容器本体を図示している、加圧流体分配用包装容器の斜視図。
【図１Ａ】図１の包装容器の後面斜視図。
【図２】図１の包装容器の側面図。
【図３】図１の包装容器の正面図。
【図４】線Ａ−Ａに沿って切り取った図３の包装容器の断面図。
【図５】部分的に分解した図１の包装容器の斜視図。
【図６】本発明に従って製造された包装容器からの製品の塗布を例証し、塗布面を特に取り上げた部分的な斜視図。
【図７】本明細書に従って製造された、加圧流体の放出のために設計された代表的な分配機構を例証している、包装容器の縦方向断面図。
【図８】本発明に従って製造され及び噴霧ノズル分配装置を包含する包装容器の別の実施形態を例証する図１に似た斜視図。
【図８Ａ】図８の包装容器の後面斜視図。
【図９】図８の包装容器を使用する塗布方法を例証した図６に類似の部分斜視図。
【図１】
2005530660.tif 000003
【図１Ａ】
2005530660.tif 000004
【図２】
2005530660.tif 000005
【図３】
2005530660.tif 000006
【図４】
2005530660.tif 000007
【図５】
2005530660.tif 000008
【図６】
2005530660.tif 000009
【図７】
2005530660.tif 000010
【図８】
2005530660.tif 000011
【図８Ａ】
2005530660.tif 000012
【図９】
2005530660.tif 000013
【国際調査報告】
2005530660.tif 000014
2005530660.tif 000015